(57)【特許請求の範囲】
【請求項１】
弾性を有する長尺状の鋼板（２）  を、先端側から順次後端側にかけて巻回成形することにより、鋼板（２）  の先端側を最径内側に、後端側を最径外側に夫々配して鋼板（２）  の幅方向の両端側を略揃えた渦巻き状を呈するゼンマイバネにおいて、
このゼンマイバネを構成する鋼板（２）  の後端側に係止手段（３）  が備えられ、この係止手段（３）  から長手方向に所定距離だけ隔てた位置に他の係止手段（４）  が備えられることにより、渦巻き状に巻回された状態で両係止手段（３）  （４）  が係止し得るようになされ、且つ、その係止位置から巻きしめられることにより両係止手段（３）  （４）  が係止解除され得るものであり、
両係止手段（３）  （４）が、鋼板の幅方向の一端側からの位置を互いに異なるものとされることにより、ゼンマイバネを構成する鋼板（２）  が係止解除状態になって拡張する際の両係止手段（３）（４）の再係止を防止し得るようにしたことを特徴とするゼンマイバネ。
【請求項２】
弾性を有する長尺状の鋼板（２）  を、先端側から順次後端側にかけて巻回成形することにより、鋼板（２）  の先端側を最径内側に、後端側を最径外側に夫々配して鋼板（２）  の幅方向の両端側を略揃えた渦巻き状を呈するゼンマイバネにおいて、
このゼンマイバネを構成する鋼板（２）  の後端側には、係止爪（３）  と、係止用孔（４）  とが備えられ、係止用孔（４）  が、係止爪（３）  から長手方向に所定距離だけ隔てた位置に配位されることにより、渦巻き状に巻回された状態で、係止爪（３）  と係止用孔（４）  とが係止し得るようになされ、
これらの係止用孔（４）  と係止爪（３）  とが、鋼板の幅方向の一端側からの位置を互いに異なるものとされることにより、渦巻き状に巻回された鋼板の後端側を巻回の軸方向にずらした状態で、係止爪（３）  と係止用孔（４）  とが係止可能とされ、且つ、鋼板の幅方向の端部を揃えた渦巻き状態で係止爪（３）  が係止用孔（４）  に入りこむことができないようにしたことを特徴とするゼンバイバネ。
【請求項３】
弾性を有する長尺状の鋼板（２）  を先端側から順次後端側にかけて巻回成形することにより鋼板（２）  の先端側を最径内側に、後端側を最径外側に夫々配して鋼板（２）  の幅方向の両端側を略揃えた渦巻き状を呈するゼンマイバネ（１）  をケース（６）  内に装着し、ケース（６）  内に巻回したコード（１０）を引っ張ることにより、渦巻き状のゼンマイバネ（１）  を巻き締めながらコード（１０）をケース（６）  外に引き出せ、その引き出したコード（１０）を放せば、巻き締めたゼンマイバネ（１）  の巻き弾性により引き出したコード（１０）をケース（６）  内に巻き込み可能としたコードリールにおいて、
このゼンマイバネを構成する鋼板（２）  の後端側に係止手段（３）  が備えられ、この係止手段（３）  から長手方向に所定距離だけ隔てた位置に他の係止手段（４）  が備えられることにより、渦巻き状に巻回された状態で両係止手段（３）  （４）  が係止し得るようになされ、且つ、その係止位置から巻きしめられることにより両係止手段（３）  （４）  が係止解除され得るものであり、
両係止手段（３）  （４）が、鋼板の幅方向の一端側からの位置を互いに異なるものとされることにより、ゼンマイバネを構成する鋼板（２）  が係止解除状態になって拡張する際の両係止手段（３）（４）の再係止を防止し得るようにしたことを特徴とするコードリール。
【発明の詳細な説明】
【０００１】
【発明の属する技術分野】
本願発明は、ゼンマイバネ、詳しくは、コードリール、或いはその他の装置等に使用されるゼンマイバネの改良、ならびにゼンマイバネを使用したコードリールに関するものである。
【０００２】
【従来の技術】
従来から、弾性を有する長尺状の鋼板を、先端側から順次後端側にかけて巻回成形することにより、鋼板の先端側を最径内側に、後端側を最径外側に夫々配して鋼板の幅方向の一端側を略揃えた渦巻き状を呈するゼンマイバネは広く知られており、例えば電気コードの引き出し巻き込みを行うコードリールに使用されている。コードリールに使用される場合、ゼンマイバネを所定径の渦巻き状にした状態で、図９、図１０に示すようにコードリールのケースｋのバネ収納部ｋ１内に収納されるが、その際、ゼンマイバネの巻き弾性作用により拡張しようとするため、収納作業が困難である。そのため、従来、ゼンマイバネをケースのバネ収納部の径よりやや小さい径に係止させておく手段が採られている。この従来における係止手段は、図８（Ｂ）  に示すように、ゼンマイバネｄの後端側に、ゼンマイバネｄを構成した所定幅の長尺状の鋼板の幅方向の中央部を径外方向に切り起こした係止爪ｂを設けるとともに、係止爪ｂから所定距離だけ後方側に隔てた位置における鋼板の幅方向の中央部を穿設することにより係止爪ｂを嵌挿して係止し得るように形成した係止用孔ａを設け、図８（Ａ）  に示すように鋼板の幅方向の両端側を略揃えた渦巻き状を呈する状態から巻き弾性により拡張させれば、その渦巻き状を呈する状態で係止爪ｂが係止用孔ａに自然に入り込んで係止させることができ、このようにして、ゼンマイバネｄをケースｋのバネ収納部ｋ１の径よりやや小さい径に係止させておくようにしたものである。そして、図９に示すように、係止爪ｂを係止用孔ａとを係止させた状態から、コードｋ２を所定回数巻き付けたケースｋに設けた固定軸ｋ３に、ゼンマイバネｄの先端側を取付けるとともに、ゼンマイバネの後端側を、ケースｋ内に回転自在に設けた回転胴ｋ４に係止するようにしてセットし、その後、回転胴ｋ４を、ゼンマイバネｄを巻く締める方向（図示のＸ方向）に２〜３回転させて、所謂ゼンマイバネの予巻き行って係止爪ｂを係止用孔ａから外す。そして、この予巻きした状態を、コードｋ２をケースｋ内に完全に巻き込み終えた状態とする。これにより、巻き込んだコードｋ２をケースｋ２外に引き出せばそれに伴ってゼンマイバネｄが巻き締められて巻き弾性を増し、コードｋ２を離せばゼンマイバネの巻き弾性によってコードｋ２が巻き込まれ、上記のゼンマイバネｄの予巻き状態で引き出したコードｋ２を巻き込み終えることができる。尚、コードリールについては更に後述する。
しかしながら、このようにしてケースｋのバネ収納部ｋ２の径よりやや小さい径にしたゼンマイバネｄを、使用中に係止爪ｂが係止用孔ａに入り込まないように、更に上記の予巻きして使用するため、バネ収納部ｋ２全体に拡がらせて使用できず、ゼンマイバネｄの有効回転数を損失させているという課題がある。又、ゼンマイバネｄの予巻き行うため、この予巻きした状態で、コードｋ２を巻き込むことのできる巻き弾性を有するか否かを検査する必要がある。そのため、従来、予巻きした時点でその検査を全てについて行っており、組み付けに時間を要している。更に、このゼンマイバネｄにおいては、係止爪ｂを係止用孔ａから外した後、ゼンマイバネｄを拡張させようとしても、拡張に際して係止爪ｂが自然に係止用孔ａに入り込んで係止してしまう。従って、係止爪ｂと係止用孔ａとの係止状態の径をゼンマイバネｄの使用範囲の最大径に設定しておかなければならず、その結果、例えば使用するコードｋ２が長く、ケースｋのバネ収納部ｋ１の大きさが大きい場合は、係止状態のゼンマイバネｄの径も大きくなってしまい、保管や取扱い等に不便をきたす。
【０００３】
【発明が解決しようとする課題】
本願発明は、以上の実情に鑑み提案されたもので、ケースに容易に装着でき、組み付け工程の簡略化を図ることができ、しかも、小さい径で係止しておくことのでき、保管や取扱い易くできるゼンマイバネを提供することを第１の目的とする。
本願発明は、上記の特徴を備えたゼンマイバネを使用したコードリールを提供することを第２の目的とする。
【０００４】
【課題を解決するための手段】
本願の第１の発明は、弾性を有する長尺状の鋼板２を、先端側から順次後端側にかけて巻回成形することにより、鋼板２の先端側を最径内側に、後端側を最径外側に夫々配して鋼板２の幅方向の両端側を略揃えた渦巻き状を呈するゼンマイバネにおいて、このゼンマイバネを構成する鋼板２の後端側に係止手段３が備えられ、この係止手段３から長手方向に所定距離だけ隔てた位置に他の係止手段４が備えられることにより、渦巻き状に巻回された状態で両係止手段３，４が係止し得るようになされ、且つ、その係止位置から巻きしめられることにより両係止手段３，４が係止解除され得るものであり、両係止手段３，４が、鋼板の幅方向の一端側からの位置を互いに異なるものとされることにより、ゼンマイバネを構成する鋼板２が係止解除状態になって拡張する際の両係止手段３，４の再係止を防止し得るようにしたことを特徴とするゼンマイバネを提供する。
【０００５】
本願の第２の発明は、弾性を有する長尺状の鋼板２を、先端側から順次後端側にかけて巻回成形することにより、鋼板２の先端側を最径内側に、後端側を最径外側に夫々配して鋼板２の幅方向の両端側を略揃えた渦巻き状を呈するゼンマイバネにおいて、このゼンマイバネを構成する鋼板２の後端側には、係止爪３と、係止用孔４とが備えられ、係止用孔４が、係止爪３から長手方向に所定距離だけ隔てた位置に配位されることにより、渦巻き状に巻回された状態で、係止爪３と係止用孔４とが係止し得るようになされ、これらの係止用孔４と係止爪３とが、鋼板の幅方向の一端側からの位置を互いに異なるものとされることにより、渦巻き状に巻回された鋼板の後端側を巻回の軸方向にずらした状態で、係止爪３と係止用孔４とが係止可能とされ、且つ、鋼板の幅方向の端部を揃えた渦巻き状態で係止爪３が係止用孔４に入りこむことができないようにしたことを特徴とするゼンバイバネを提供する。
【０００６】
本願の第３の発明は、弾性を有する長尺状の鋼板２を先端側から順次後端側にかけて巻回成形することにより鋼板２の先端側を最径内側に、後端側を最径外側に夫々配して鋼板２の幅方向の両端側を略揃えた渦巻き状を呈するゼンマイバネ１をケース６内に装着し、ケース６内に巻回したコード１０を引っ張ることにより、渦巻き状のゼンマイバネ１を巻き締めながらコード１０をケース６外に引き出せ、その引き出したコード１０を放せば、巻き締めたゼンマイバネ１の巻き弾性により引き出したコード１０をケース６内に巻き込み可能としたコードリールにおいて、このゼンマイバネを構成する鋼板２の後端側に係止手段３が備えられ、この係止手段３から長手方向に所定距離だけ隔てた位置に他の係止手段４が備えられることにより、渦巻き状に巻回された状態で両係止手段３，４が係止し得るようになされ、且つ、その係止位置から巻きしめられることにより両係止手段３，４が係止解除され得るものであり、両係止手段３，４が、鋼板の幅方向の一端側からの位置を互いに異なるものとされることにより、ゼンマイバネを構成する鋼板２が係止解除状態になって拡張する際の両係止手段３，４の再係止を防止し得るようにしたことを特徴とするコードリールを提供する。
【０００７】
以上のように構成された本願第１、第２の発明のゼンマイバネ１ならびに第３の発明のコードリールに用いられるゼンマイバネ１においては、渦巻き状に巻回された状態で係止し得る係止手段をなす係止用孔４と係止爪３とを、幅方向の一端側からの位置を互いに異なるものとすることにより渦巻き状に巻回された鋼板の後端側を巻回の軸方向にずらした状態で、係止爪３と係止用孔４とを係止させるものとする。
こうすることにより、係止爪３を係止用孔４から外すと、強制的に巻回の軸方向にずれていたゼンマイバネ１の後端側が成形時の状態に復元し、ゼンマイバネ１の全体が幅方向の略揃った渦巻き状にでき、又、この状態に戻ると、係止爪３と係止用孔４との幅方向の位置がずれるため、従来のようにゼンマイバネ１の巻き弾性による拡張に伴って係止爪３が係止用孔４に入り込むようなことがなく、係止爪３と係止用孔４との再係止を防止できる。従って、例えば図５に示すようにコードリール５のケース６内に設けたゼンマイバネ収納部６５に、係止爪３と係止用孔４とを係止した状態で収納した後、その係止を外せばゼンマイバネ１の巻き弾性によって係止爪３が係止用孔４を通過して拡張し、図６に示すようにバネ収納部６５全体に拡がらせることができ、従来のようにゼンマイバネ１の有効回転数を損失させるというようなことを防止できる。又、上記のようにゼンマイバネ収納部６５に収納した後は、ゼンマイバネ１を僅かに巻き締めれば係止爪３を係止用孔４から外すことができ、従来のように係止用孔４から外れた係止爪３が再度使用中に係止用孔４に入り込まないように十分に巻き締めて予巻きを行わなくて済み、装着作業を簡単なものにできる。又、係止爪３と係止用孔４との係止を、従来の予巻きをした場合の巻き弾性を有する状態に設定しておくようにすれば、ケース６に装着後、従来のように予巻きをした後の巻き弾性を検査しなくても確実に一定の巻き弾性を有する状態で使用でき、従来の予巻きをしてその巻き弾性を検査し終えたものとしてそのまま使用ことも可能となる。従って、装着後の巻き弾性の検査工程を省くことができ、工程を簡素化できる。
更に、従来のものにおいては、係止爪と係止用孔とを係止させた状態から予巻きを行い、その予巻きした状態が、コード１０を巻き込み終えた状態に対応するため、ゼンマイバネ１をケース６に装着する場合には、コード１０の巻き付け作業を行い、その後、係止爪と係止用孔とを係止させたゼンマイバネ１をセットしなければならない。しかし、本願発明においては、係止爪３と係止用孔４との係止を解除すればその係止状態の径以上に拡張できるため、例えば図７に示すようにコード１０をケース６外に引き出してゼンマイバネ１を巻き締めた大きさの状態で係止爪３と係止用孔４とを係止するようにすれば、コード１０の巻き付けを行う前にゼンマイバネ１をケース６のゼンマイバネ収納部６５にセットし、その後、係止爪３と係止用孔４との係止を解除させてゼンマイバネ１を拡張させれば、それに伴い回転胴７１、７２も共に回動するため、回転胴７１、７２の回転を利用して同時にコード１０を回転胴７１、７２に沿わせて巻き付けることができ、コード１０の巻き付ける作業を省くことも可能となる。また、このようにして、コード１０をケース６外に引き出してゼンマイバネ１を巻き締めた大きさの状態で、係止爪３と係止用孔４とを係止させておくことで、コンパクトなものにでき、保管や取扱いの便利なものにできる。従って、特にコードリール用に適したものにできる。
【０００８】
【発明の実施の形態】
以下、図を基に本願発明の一実施形態を具体的に説明する。
図１は、本願発明の一実施形態のゼンマイバネの係止状態の斜視図であり、図２は、ゼンマイバネの後端側の要部拡大斜視図である。
【０００９】
本実施形態のゼンマイバネ１は、電気コード等のコードの引き出し巻き込みを行うコードリール用とされており、図３に示すように弾性を有する長尺状の鋼板２を、先端側から順次後端側にかけて巻回成形することにより、鋼板２の先端側を最径内側に、後端側を最径外側に夫々配して鋼板２の幅方向の両端を略揃えた渦巻き状を呈している。
【００１０】
このゼンマイバネ１を構成する鋼板２の先端側には、取付け片１ａが備えられている。この取付け片１ａは、後述するコードリール５におけるケース６に取り付けるためのもので、鋼板２の先端を所定長さで略直角に折り曲げ成形することにより形成されている。
【００１１】
鋼板２の後端側には、引っ掛け片１ｂと、引っ掛け片１ｂから長手方向の先端方向に所定距離だけ隔てた位置に配位された係止爪３と、引っ掛け片１ｂと係止爪３との間に配位された係止用孔４とが備えられている。引っ掛け片１ｂは、後述のコードリール５における下回転胴７２に引っ掛るためのもので、鋼板２の後端を所定長さで径外側に略Ｕ字状に折り曲げ成形することにより形成されている。
【００１２】
係止爪３と係止用孔４とは、ゼンマイバネ１を所定径の渦巻き状を呈する状態で係止しておくための係止手段をなすもので、係止爪３は、鋼板２の一部を所定の幅及び長さで径外側に切り起こすことにより形成されている。又、この係止爪３は、図２に示すように係止爪３の上下の中心線３１が鋼板２の上下の中心線２１に略一致する位置に穿設されることにより、鋼板２における幅方向の略中央位置に形成されている。一方、係止用孔４は、鋼板２の一部を係止爪３の長さ及び幅よりやや長く且つ広幅に穿設されることにより、係止爪３を嵌挿し得るようになされている。又、この係止用孔４は、係止用孔４の上下の中心線４１が鋼板２の中心線２１より図示の上方位置に穿設され、鋼板２における幅方向の上端寄りに形成されており、図３に示すように鋼板２を先端側から順次後端側にかけて巻回して鋼板２の幅方向の上下両端側を略揃えた渦巻き状の状態では、係止爪３の下部側が係止用孔４の下部側における鋼板２に当接し、係止爪３が係止用孔４に入り込むことができないようになされている。
【００１３】
このように形成した係止用孔４に係止爪３を入り込ませるには、図３に示すように鋼板２を先端側から順次後端側にかけて巻回して鋼板２の幅方向の両端側を巻回の軸方向に略揃えた渦巻き状に成形した後の後端側を、巻回の軸方向（図示のＺ−Ｙ方向）の図示下方側（図示のＹ方向）に押圧して強制的に位置をずらす。これにより、係止用孔４の中心線４１と係止爪３の中心線３１とが合致し、係止爪３を係止用孔４に入り込ませることができる。従って、係止爪３を係止用孔４に入り込ませた係止状態の渦巻き状を呈するゼンマイバネ１は、図１に示すように後端側が下方側に位置ずれした状態になっている。
【００１４】
以上のように構成したゼンマイバネ１は、係止爪３が係止用孔４に入り込んで所定径の渦巻き状を呈する状態からコードリール５に装着されるが、この装着の説明の前に先立ってコードリール５について簡単に説明する。
【００１５】
このコードリール５は、従来から使用されているものと同構成を採るもので、図４に示すように所定厚さの円盤状をなすケース６を備えている。又、このケース６の内部には、回転自在な円板状の上回転胴７１と、この上回転胴７１と一体に形成された下回転胴７２とが備えられており、２つの回転胴７１、７２によって、ケース６内が上、中、下の３つの空間部６１、６２、６３に区画されている。上空間部６１は、第２巻回部６１をなし、常時第２巻回部に配位されてケース６外に引き出されることのない部分のコード１０を収納する。中空間部６２は、第１巻回部６２をなし、ケース６外に引き出される部分のコード１０を収納する。下空間部６３は、下回転胴７２の下面から下方に円形状に突設された区画壁７２ａによって更に、径外側のレバー収納部６４と、径内側のゼンマイバネ収納部６５とに区画されている。レバー収納部６４は、後端側を下回転胴７２に回動自在に接続されたストップレバー８が収納され、下回転胴７２の回動に伴って、ストップレバー８の先端がケース６の内下面に形成された案内溝（図示せず）を摺動することによって、ケース６から所定長さだけ引き出した第１巻回部６２のコード１０をその状態で係止し得るようになされている。一方、ゼンマイバネ収納部６５は、図５に示すようにゼンマイバネ１の取付け片１ａを取り付けるための取付け用溝６６ａと、ゼンマイバネ１の引っ掛け片１ｂを引っ掛けるための引っ掛け部６７とを備えている。取付け用溝６６ａは、ケース６の中心部に設けられた固定軸６６に、取付け片１ａを嵌挿可能な溝を形成することにより形成されており、引っ掛け部６７は、区画壁７２ａの一部がなしている。
【００１６】
そして、ゼンマイバネ１は、この図５に示すように係止爪３が係止用孔４に入り込んで所定径の渦巻き状を呈する状態からゼンマイバネ収納部６５に、ゼンマイバネ１の取付け片１ａが取付け用溝６６ａに嵌挿されることによりケース６に取り付けられ、引っ掛け片１ｂが引っ掛け部６７に引っ掛けられることにより回転胴７１、７２に接続され、その状態で、収納される。そして、その後、回転胴７１、７２を、ゼンマイバネ１を巻き締める方向（図５のＸ方向）に回動させる。これにより、ゼンマイバネ１が巻き締められて径が小さくなり、係止爪３が係止用孔４から外れる。係止爪３が係止用孔４から一旦外れると、強制的に巻回の軸方向の図示下方側にずれていたゼンマイバネ１の後端側が成形時の状態（図３の状態）に復元し、ゼンマイバネ１の全体が幅方向の両端の略揃った渦巻き状になる。後端側が成形時の状態に戻ると、係止爪３と係止用孔４との位置がずれるため、従来のようにゼンマイバネ１の巻き弾性による拡張に伴って係止爪３が係止用孔４に入り込むようなことがない。従って、係止爪３と係止用孔４との係止を外した後、回転胴７１、７２の回動を止めればゼンマイバネ１の巻き弾性によって係止爪３が係止用孔４を再度係止することなく通過して拡張し、図６に示すようにバネ収納部６５全体に拡がらせることができる。これにより、従来のようにゼンマイバネ１の有効回転数を損失させるというようなことを防止できる。
【００１７】
このように構成されたコードリール５は、ケース６外に配位されたコード１０の先端を引っぱる。これにより、回転胴７１、７２がゼンマイバネ１を巻き締める方向（図５のＸ方向）に回動し、回転胴７１、７２に沿って巻かれたケース６内のコード１０をケース６外に引き出すことができる。引き出した後は、手を放せばストップレバー８の作用により回転胴７１、７２が停止し、その状態を維持することができる。又、このコード１０の引き出しに伴う回転胴７１、７２の回転により、ゼンマイバネ１が徐々に巻き締められていく。一方、引き出したコード１０を僅かに引き出して手を放せばストップレバー８による回転胴７１、７２の停止が解かれ、巻き締められたゼンマイバネ１を巻き弾性により回転胴７１、７２が上記と反対方向に回転し、これに伴いケース６外に引き出されたコード１０が回転胴７１、７２に沿って巻かれ、ケース６内に巻き込むことができる。
【００１８】
以上のようにしたゼンマイバネ１を使用することにより、ゼンマイバネ収納部６５に収納した後は、回転胴７１、７２を僅かに回転させてゼンマイバネ１を巻き締めれば係止爪３を係止用孔４から外すことができ、しかも、一旦係止が外れれば使用中に係止爪３が係止用孔４に係止することがなく、従来のように係止用孔４から外れた係止爪３が再度使用中に係止用孔４に入り込まないように回転胴７１、７２を十分に回転させてゼンマイバネ１を巻き締める予巻きを行わなくて済み、装着作業を簡単なものにできる。又、係止爪３と係止用孔４との係止を、従来の予巻きをした場合の巻き弾性を有する状態に設定しておくようにすれば、ケース６に装着後、従来のように予巻きをした後の巻き弾性を検査しなくても確実に一定の巻き弾性を有する状態で使用でき、従来の予巻きをしてその巻き弾性を検査し終えたものとしてそのまま使用ことも可能となる。従って、装着後の巻き弾性の検査工程を省くことができ、工程を簡素化できる。
【００１９】
又、従来のものにおいては、係止爪と係止用孔とを係止させた状態から予巻き行い、その予巻きした状態が、コード１０を巻き込み終えた状態に対応するため、ゼンマイバネ１をケース６に装着する場合には、コード１０を回転胴７１、７２に沿わせて巻き付け作業を行い、その後、係止爪と係止用孔とを係止させたゼンマイバネ１をセットしなければならない。しかし、本願発明においては、係止爪３と係止用孔４との係止を解除すればその係止状態の径以上に拡張できるため、例えば図７に示すようにコード１０をケース６外に引き出してゼンマイバネ１を巻き締めた大きさの状態で係止爪３と係止用孔４とを係止するようにすれば、コード１０の巻き付けを行う前にゼンマイバネ１をケース６のゼンマイバネ収納部６５にセットし、その後、係止爪３と係止用孔４との係止を解除させてゼンマイバネ１を拡張させれば、それに伴い回転胴７１、７２も共に回動するため、回転胴７１、７２の回転を利用して同時にコード１０を回転胴７１、７２に沿わせて巻き付けることができ、コード１０の巻き付ける作業を省くことも可能となり、特にコードリール５に使用するゼンマイバネとして適したものにできる。また、このようにして、コード１０をケース６外に引き出してゼンマイバネ１を巻き締めた大きさの状態で、係止爪３と係止用孔４とを係止させておくことで、コンパクトなものにでき、保管や取扱いの便利なものにできる。
【００２０】
尚、本実施形態では、係止用孔４を係止爪３の後方側に配位させているが、この形態のもに限らず、各々の位置を逆にして係止爪３を係止用孔４の後方側に配位させるとともに、係止爪３を径内側に突設させて係止用孔４に係止し得るようにしても良い。又、本実施形態では、係止用孔４を、鋼板２の幅方向の端部側に配位させ、係止爪３を、鋼板２の幅方向の略中央に配位させることにより、鋼板２の幅方向に対する係止爪３と係止用孔４との互いの位置をずらし、これにより、鋼板２の幅方向の端部を揃えた渦巻き状態で係止爪３が係止用孔４に入りこむことができないようにしているが、この形態のものに限らず、何れか一方を鋼板２の幅方向の端部側に配位させ、或いは双方を、鋼板２の幅方向の反対側の端部側に各々配位させるようにし、鋼板２の幅方向の端部を揃えた渦巻き状態で係止爪３が係止用孔４に入りこむことができないようにしても良く、適宜変更し得る。
【００２１】
又、本願発明のゼンマイバネ１を使用するコードリールは、上記形態のものに限らず、従来から使用されているものに使用できる。又、本願発明のゼンマイバネ１の用途は、コードリールに使用するものに限らず、他の種々の装置等にも使用でき、適宜変更できる。
【００２２】
【発明の効果】
以上、本願第１、第２の発明のゼンマイバネならびに第３の発明のゼンマイバネを使用したコードリールは、係止手段をなす係止爪３と係止用孔４との係止を外せばゼンマイバネ１の巻き弾性によって係止爪３が係止用孔４に再度係止することなく係止用孔４を通過して拡張し、バネ収納部６５全体に拡がらせることができ、従来のようにゼンマイバネ１の有効回転数を損失させるというようなことを防止できる。又、上記のようにゼンマイバネ収納部６５に収納した後は、ゼンマイバネ１を僅かに巻き締めれば係止爪３を係止用孔４から外すことができ、従来のように係止用孔４から外れた係止爪３が再度使用中に係止用孔４に入り込まないように十分に巻き締めれて予巻きを行わなくて済み、装着作業を簡単なものにできる。又、係止爪３と係止用孔４との係止を、従来の予巻きをした場合の巻き弾性を有する状態に設定しておくようにすれば、ケース６に装着後、従来のように予巻きをした後の巻き弾性を検査しなくても確実に一定の巻き弾性を有する状態で使用でき、従来の予巻きをしてその巻き弾性を検査し終えたものとしてそのまま使用ことも可能となる。従って、装着後の巻き弾性の検査工程を省くことができ、工程を簡素化できる。
更に、コード１０をケース６外に引き出してゼンマイバネ１を巻き締めた大きさの状態で係止爪３と係止用孔４とを係止するようにすれば、コード１０の巻き付けを行う前にゼンマイバネ１をケース６のゼンマイバネ収納部６５にセットでき、係止爪３と係止用孔４との係止を解除させてゼンマイバネ１を拡張させれば、それに伴い回転胴７１、７２も共に回動するため、回転胴７１、７２の回転を利用して同時にコード１０を回転胴７１、７２に沿わせて巻き付けることができ、コード１０の巻き付ける作業を省くことも可能となる。また、このようにして、コード１０をケース６外に引き出してゼンマイバネ１を巻き締めた大きさの状態で、係止爪３と係止用孔４とを係止させておくことで、コンパクトなものにでき、保管や取扱いの便利なものにできる。従って、コードリール用のゼンマイバネとして特に適したものにできる。
【図面の簡単な説明】
【図１】本願発明の一実施形態のゼンマイバネの斜視図である。
【図２】本願発明の一実施形態の後端側の要部拡大斜視図である。
【図３】係止片と係止用孔との係止を外した状態のゼンマイバネの斜視図である。
【図４】ゼンマイバネを装着したコードリールの縦断面説明図である。
【図５】コードリールに、係止爪と係止用孔とを係止したゼンマイバネを装着した状態の下方側から見た説明図である。
【図６】コードリールに装着したゼンマイバネの係止爪と係止用孔との係止を解除した状態の下方側から見た説明図である。
【図７】ゼンマイバネの他の実施形態に係り、コードを引き出してゼンマイバネを巻き締めた状態で係止爪と係止用孔とを係止させ、その係止状態でコードリールに装着した状態の下方側から見た説明図である。
【図８】（Ａ）  は、従来のゼンマイバネの斜視図、（Ｂ）  は、従来例における後端側の要部拡大斜視図である。
【図９】コードリールに、係止爪と係止用孔とを係止した従来のゼンマイバネを装着した状態の下方側から見た説明図である。
【図１０】コードリールに装着した従来のゼンマイバネの係止爪と係止用孔との係止を解除した状態の説明図である。
【符号の説明】
１            ゼンマイバネ
１ａ          取付け片
１ｂ          引っ掛け片
２            鋼板
３            係止爪
４            係止用孔
５            コードリール
６            ケース
６５          ゼンマイバネ収納部
７１          上回転胴
７２          下回転胴
【図１】
0003625995.tif 000002
【図２】
0003625995.tif 000003
【図３】
0003625995.tif 000004
【図４】
0003625995.tif 000005
【図５】
0003625995.tif 000006
【図６】
0003625995.tif 000007
【図７】
0003625995.tif 000008
【図８】
0003625995.tif 000009
【図９】
0003625995.tif 000010
【図１０】
0003625995.tif 000011